(57)【要約】      （修正有）【課題】夜間車椅子等の走行が遠方から確認できるよう、ＬＥＤが発光点灯する安全灯付き荷物掛けフックを提供する。【解決手段】安全灯付き荷物掛けフック１には、車椅子、ベビーカーなどのハンドル部分へ取り付けるための面ファスナー５、荷物を掛けることができる荷物掛けフック４、安全灯としてＬＥＤ６と、ＬＥＤ６が発した光を拡散するためのＬＥＤカバー３、電池蓋２を設ける。また、車椅子グリップに面ファスナー５を巻きつけ、安全灯付き荷物掛けフック１を固定する。これにより、従来の荷物掛けフックとして使用することができる。さらに、車椅子グリップの左右両方に取り付けることにより、発光部が外側全体に向けて点灯し視認性を向上させる。【選択図】図１
0003173090.tif 000002
【実用新案登録請求の範囲】
【請求項１】
荷物を掛ける為のフックであって、発光体が付属し、点灯光が遠方からでも視認できることを特徴とする安全灯付き荷物掛けフック。
【請求項２】
前記発光体は連続発光、または点滅発光が可能な制御回路を有する請求項１に記載の安全灯付き荷物掛けフック。
【請求項３】
前記発光体を拡散するため、拡散板を取り付け、視認性を向上させることを特徴とする請求項１ないし２のいずれか記載の安全灯付き荷物掛けフック。
【請求項４】
前記発光体はＬＥＤを使用する請求項１ないし２ないし３のいずれかに記載の安全灯付き荷物掛けフック。
【請求項５】
荷物掛けフック部分が安全灯のＯＮ／ＯＦＦスイッチを兼ねる機構を有する請求項１に記載の安全灯付き荷物掛けフック。
【考案の詳細な説明】
【考案に属する技術分野】
【０００１】  本考案は発光体が取り付けられている荷物掛けフックに関する。
【背景技術】
【０００２】  ベビーカー、車椅子、シルバーカーなどには、自転車等に設置されているライトが無いため自転車、バイク、自動車、歩行者などによる追突、接触事故が発生する危険性がある。【０００３】  ベビーカーには従来、荷物掛けフックが販売されているが安全灯が取り付けられているものは無い。安全灯の代わりとして反射板が用いられる場合もあるが、無灯自転車などには効果がない。【０００４】  この種の道具として例えば、発光ユニットを装着したベビーカーという提案がなされている（特許文献１）。ベビーカーの正面・側面に発光ユニットが装着されており、視認性を高めて夜間でも安全に走行可能な構造となっている。
【特許文献１】特開２００６−１６０１３５
【考案が解決しようとする課題】
【０００５】  車椅子、ベビーカー、シルバーカーを使用し外出しようとする際に、自転車、バイク、自動車の運転者や、歩行者から十分に視認できない。また日中でも、特に車椅子は自動車の運転席から視認されにくい。特許文献１に記載のベビーカー、ベビーカー用ガード部材及びベビーカー用発光ユニットは、安全灯が備え付けられたベビーカーであり、他のベビーカー、車椅子、シルバーカーへ汎用的に用いられる物ではない。
【０００６】  それ故、この考案は、車椅子、ベビーカー、シルバーカーに容易に取り付け、取り外しが可能で、視認性に優れた安全灯が付いた荷物掛けフックを提供することにある。
【課題を解決するための手段】
【０００７】  上記課題を達成するための本考案に関わる安全灯付き荷物掛けフックは、本体上部の固定用の機構を、車椅子、ベビーカー、シルバーカーのグリップ部などに固定し、本体に日中および夜間外出時の安全確保のための発光体を設け、本体下部には荷物掛けフックを有する構造である。
【０００８】  上記発光体の発する光の視認性を高めるため、発光体に拡散板を設け、光を拡散させる構造とする。
【０００９】  長時間の使用に対応するため、発光体としてＬＥＤを用いる。
【考案の効果】
【００１０】  本考案の安全灯付き荷物掛けフックは視認性に優れ、外出時の、車椅子、ベビーカー、シルバーカー等の使用者の安全を確保することができる。
【考案を実施するための最良の形態】
【００１１】  以下本考案の実施形態について図面を参照しながら説明する。【００１２】  図１は、本実施形態の安全灯付き荷物掛けフックを示す斜視図である。【００１３】  安全灯付き荷物掛けフック１には、車椅子、ベビーカーなどのハンドル部分へ取り付けるための面ファスナー５、荷物を掛けることができる荷物掛けフック４、安全灯としてＬＥＤ６と、ＬＥＤ６が発した光を拡散するためのＬＥＤカバー３、電池蓋２が設けられている。【００１４】  図３は、安全灯付き荷物掛けフック１の側面をＬＥＤ６がある方の反対側から見た図であり、安全灯付き荷物掛けフック１にはＯＮ／ＯＦＦスイッチ７が設けられている。
フック部スイッチは荷物をかけると点灯するスイッチであり、スイッチ７は強制的にＯＮ／ＯＦＦできるスイッチである。【００１５】  図４は安全灯付き荷物掛けフック１の電池、基板格納部の断面図であり、安全灯付き荷物掛けフックの内部にはＬＥＤ６の点灯を制御する基板１０と、電池ボックス１１が設けられている。【００１６】  次に、安全灯付き荷物掛けフック１の使用方法について、図３、図４、図５、図６を用いて説明する。【００１７】  図６の車椅子グリップ８に面ファスナー５を巻きつけ、安全灯付き荷物掛けフック１を固定する。これにより、従来の荷物掛けフックとして使用することができる。【００１８】  図５において、車椅子グリップの左右両方に取り付けることにより、発光部が外側全体に向けて点灯し視認性を向上させる。【００１９】  図３のＯＮ／ＯＦＦスイッチ７を押すことにより、図４の安全灯付き荷物掛けフック１内の電池ボックス１１にセットされた電池からＬＥＤ６に電力が供給され、ＬＥＤ６が点灯し、安全灯として機能する。このときＬＥＤ６の点灯を制御する回路である基板１０を介することによって、ＬＥＤ６を点灯させ、注意喚起機能の向上及び単位時間あたりの電池の消費量を抑えることができる。【００２０】  また、ＯＮ／ＯＦＦスイッチ７の代わりに、荷物掛けフック４に重量が加わることで発光体に電力が供給される構造にすれば、スイッチの付け忘れを防止できる。さらに荷物掛けフック４に加わる重量によって点灯パターンが変わる構造にすれば、重量超過により車椅子やベビーカーが転倒や安全灯付き荷物掛けフック１の破損を防ぐための警告灯にもなる。
【図面の簡単な説明】
【００２１】
【図１】  実施形態の安全灯付き荷物掛けフックを示す斜視図である。
【図２】  実施形態の安全灯付き荷物掛けフックを示す背面図である。
【図３】  実施形態の安全灯付き荷物掛けフックを示すスイッチ側の側面図である。
【図４】  実施形態の安全灯付き荷物掛けフックを示す電池、基板格納部の断面図である。
【図５】  実施形態の安全灯付き荷物掛けフックの車椅子取付け図である。
【図６】  実施形態の安全灯付き荷物掛けフックの車椅子取付け拡大図である。
【符号の説明】
【００２２】  １    安全灯付き荷物掛けフック
２    電池蓋
３    ＬＥＤカバー
４    荷物掛けフック、またはＯＮ／ＯＦＦスイッチ付き荷物掛けフック
５    面ファスナー
６    ＬＥＤ
７    ＯＮ／ＯＦＦスイッチ
８    車椅子グリップ
９    車椅子
１０  基板
１１  電池ボックス
【図１】
0003173090.tif 000003
【図２】
0003173090.tif 000004
【図３】
0003173090.tif 000005
【図４】
0003173090.tif 000006
【図５】
0003173090.tif 000007
【図６】
0003173090.tif 000008